(57)【要約】【課題】動画撮影中の電源低下状態でもより長時間の音声記録が行えるデータ記録装置を提供する。【解決手段】この音声データと動画データを記録可能な音声記録装置は、主に装置全体の制御を司るＣＰＵ１と、マイクロフォン４を含む音声記録部２０と、スピーカ８を含む音声出力部と、撮影処理部３と、表示用ＬＣＤ１３と、ＰＣ接続端子１４と、記録媒体１５と、操作スイッチ群１２と、電源用電池１６を有してなり、音声付き動画データを記録処理中に電源電圧を検出し、その電源電圧が所定の第１の電圧値を下回った場合、撮影処理部３を停止状態とし、音声データのみを記録可能な状態に維持する。また、所定の第１の電圧値より低い第２の電圧値を下回った場合、装置自体を停止状態、すなわち、撮影処理部３に加えて音声記録部２０も停止状態とする。【選択図】    図１
2005010949.tif 000002
【特許請求の範囲】
【請求項１】
動画データと同時に音声データを記録媒体に記録することが可能な記録手段と、
電源電圧が所定の範囲にあるか否かを検出する検出手段と、
上記検出手段により上記電源電圧が所定の範囲にあることが検出された場合には、上記記録手段の動画データの記録に関する所定機能部分の動作を停止させる動画記録機能停止手段と、
を具備することを特徴とするデータ記録装置。
【請求項２】
入力される画像を動画データに変換して取得する撮像手段と、
入力される音声信号を音声データに変換して取得する音声データ取得手段と、
上記動画データおよび上記音声データを同期させて記録媒体に記録する記録手段と、
電源電圧値が第１の所定電圧値以上か否かを判定する判定手段と、
上記判定手段により上記電源電圧値が所定の第１の電圧値以下であると判定された場合には、上記撮像手段を非動作状態に移行させる制御手段と、
を具備することを特徴とするデータ記録装置。
【請求項３】
さらに、上記判定手段は、上記電源電圧値が上記所定の第１の電圧値よりも低い所定の第２の電圧値以上か否かを判定し、上記判定手段により上記電源電圧値が上記第２の電圧値以下であると判定された場合には、上記制御手段は、上記音声データ取得手段を非作動状態に移行させるように制御することを特徴とする請求項２に記載のデータ記録装置。
【請求項４】
上記第１の電圧値は、撮像手段と音声データ取得手段の双方を正常に動作させることが可能な電源電圧値であることを特徴とする請求項２に記載のデータ記録装置。
【請求項５】
上記第２の電圧値は、撮像手段と音声データ取得手段の双方を正常に動作させることが困難であるが、音声データ取得手段のみであれば、正常に動作させることが可能な電源電圧値であることを特徴とする請求項３に記載のデータ記録装置。
【発明の詳細な説明】
【０００１】
【発明の属する技術分野】
本発明は、音声データと同時に動画データを記録媒体に記録することが可能なデータ記録装置に関する。
【０００２】
【従来の技術】
従来より、１つの装置で音声、静止画像、動画像を記録する方法が開発されている。このような記録装置、特に携帯型の電源で動作する記録装置においては、可能となる音声記録時間、静止画像撮影枚数、動画像記録時間が最大となるような工夫がなされている。例えば、特許文献１に提案されたデジタルカメラは、電源電圧の低下時には消費電力の少ない記録媒体に記録することにより電源電圧が低下した場合でも撮影可能な枚数の減少を防止する記録装置である。
【０００３】
【特許文献】
特許文献１は、特開平８−３１７３２６公報である。
【０００４】
【発明が解決しようとする課題】
しかしながら、従来の技術においては所定電圧以下では音声とともに動画像記録を許可しない等の制限を設けることで装置の動作時間が最大となるようにしている。また、上記特許文献１のデジタルカメラにおいては、記録媒体が複数あることが条件であり、記録媒体が単一の場合には適用できない。さらに、動画像のように連続してデータを記録するような場合には記録媒体のメモリ容量を大きくする必要があり、コストアップを招いてしまう。
【０００５】
本発明は、上記事情に鑑みてなされたものであり、動画撮影中の電源が低下した状態でもさらなる長時間の記録が行えるデータ記録装置を提供することを目的とする。
【０００６】
【課題を解決するための手段】
本発明の請求項１記載のデータ記録装置は、動画データと同時に音声データを記録媒体に記録することが可能な記録手段と、電源電圧が所定の範囲にあるか否かを検出する検出手段と、上記検出手段により上記電源電圧が所定の範囲にあることが検出された場合には、上記記録手段の動画データの記録に関する所定機能部分の動作を停止させる動画記録機能停止手段とを具備しており、上記検出手段により電源電圧が所定の範囲にあることを検出された場合、上記動画記録機能停止手段により動画記録機能を停止させる。
【０００７】
本発明の請求項２記載のデータ記録装置は、入力される画像を動画データに変換して取得する撮像手段と、入力される音声信号を音声データに変換して取得する音声データ取得手段と、上記動画データおよび上記音声データを同期させて記録媒体に記録する記録手段と、電源電圧値が所定の第１の電圧値以下か否かを判定する判定手段と、上記判定手段により上記電源電圧値が所定の第１の電圧値以下であると判定された場合には、上記撮像手段を非動作状態に移行させる制御手段とを具備しており、上記判定手段により電源電圧が上記第１の電圧以下であると判定された場合、上記制御手段により上記撮像手段を非動作状態に移行させる。
【０００８】
本発明の請求項３記載のデータ記録装置は、請求項２記載のデータ記録装置において、さらに、上記判定手段は、上記電源電圧値が上記所定の第１の電圧値よりも低い所定の第２の電圧値以上か否かを判定し、上記判定手段により上記電源電圧値が上記第２の電圧値以下であると判定された場合には、上記制御手段は、上記音声データ取得手段を非作動状態に移行させるように制御する。
【０００９】
本発明の請求項４記載のデータ記録装置は、請求項２記載のデータ記録装置において、上記第１の電圧値は、撮像手段と音声データ取得手段の双方を正常に動作させることが可能な電源電圧値である。
【００１０】
本発明の請求項５記載のデータ記録装置は、請求項３記載のデータ記録装置において、上記第２の電圧値は、撮像手段と音声データ取得手段の双方を正常に動作させることが困難であるが、音声データ取得手段のみであれば、正常に動作させることが可能な電源電圧値である。
【００１１】
【発明の実施の形態】
以下、本発明の実施の形態を図に基づいて説明する。
図１は、本発明の一実施形態としてのデータ記録装置である動画撮影機能付き音声記録装置の構成を示すブロック構成図である。
【００１２】
本実施形態の動画撮影機能付き音声記録装置（以下、音声記録装置と記載する）は、動画撮影機能付きＩＣレコーダ等のデータ記録装置であって、図１に示すように音声をアナログの電気信号に変換するマイクロホン４，このマイクロホン４により得られるアナログの音声信号を増幅する増幅器（ＡＭＰ）５，この増幅器５の出力の内の不要な高周波成分を除去する低域通過フィルタ（ＬＰＦ）６，この低域通過フィルタ６の出力をデジタル信号に変換するアナログ／デジタル変換器（Ａ／Ｄ）７等で構成される音声データ取得手段としての音声記録部２０と、上記アナログ／デジタル変換器７によりデジタル化された音声信号を録音動作時に圧縮するとともに再生動作時に伸長する動作を含む当該音声記録部に係るデータおよび後述する撮影処理部３に係るデータを記録，再生，転送等の各種の制御を行う制御手段たるＣＰＵ１と、デジタル信号処理部により圧縮された音声データおよび／または画像データが上記ＣＰＵ１の制御の下に所定のフォーマットによって記録される記録媒体１５と、上記ＣＰＵ１から出力されるデジタルの音声信号をアナログ信号に変換するデジタル／アナログ変換器（Ｄ／Ａ）１１，このデジタル／アナログ変換器１１の出力から不要な量子化雑音等を除去する低域通過フィルタ（ＬＰＦ）１０，この低域通過フィルタ１０の出力を増幅する増幅器（ＡＭＰ）９，この増幅器９により増幅されたアナログ信号による音声を出力するスピーカ８等で構成される音声出力部と、上記ＣＰＵ１の指示により駆動され、例えば、動作モードや現在日時などの各種情報を表示するＬＣＤ表示器１３と、撮像光学系やＣＣＤ等からなる撮像部２を内蔵し、上記ＣＰＵ１の制御に基づき、動画撮影記録処理を行う撮像手段である撮影処理部３と、上記ＣＰＵ１の制御に基づき、外部機器と通信を行うためのデータ転送手段たる通信ポート１ｂと、通信ポート１ｂに接続され、外部機器であるＰＣ（パーソナルコンピュータ）との接続用のＰＣ接続端子１４と、録音開始を指示する録音スイッチ（ＲＥＣスイッチ）１２ａ、再生開始を指示するの再生スイッチ（ＰＬＡＹスイッチ）１２ｂ、録音，再生処理を停止させるための停止スイッチ（ＳＴＯＰスイッチ）１２ｃ、録音位置や再生位置を旱送りするための早送りスイッチ（ＦＦスイッチ）１２ｄ、録音位置や再生位置を早戻しするための早戻しスイッチ（ＲＥＷスイッチ）１２ｅ、動画撮影を指示するレリーズスイッチ（ＲＥＬスイッチ）１２ｆ等でなる操作スイッチ群１２と、充電可能、または、着脱自在の電源用電池１６とを有して構成されている。
【００１３】
上記撮影処理部３は、上記ＣＰＵ１の制御により撮像部２を介して取り込まれれた被写体画像データを圧縮処理し、ＣＰＵ１に出力する。さらに、動画の撮影を行い、その動画データをＣＰＵ１に出力する。
【００１４】
上記記録媒体１５は、装置内蔵の記録媒体でもよく、または、着脱自在の記録媒体であってもよい。
【００１５】
上記ＣＰＵ１は、圧縮処理した音声データおよび取り込まれた動画画像データを記録媒体１５に書き込む記録処理を行う記録手段を有する。また、このＣＰＵ１は、記録媒体１５に記録された上記音声データや画像データを外部装置に転送するデータ転送手段（通信ポート１ｂ）を内蔵する。さらに、電池１６の電源電圧を検出し、その電圧が所定の第１の電圧値（閾値ｖ１  ）以上か否か、また、第１の電圧値のより低い所定の第２の電圧値（閾値ｖ２  ）以上か否か、を判定する判定手段を有する。但し、上記第２の電圧値とは、電源電圧がその電圧以下では、撮影処理部３を動作させない状態でも音声記録部２０を正常に動作させることが不可能であり、装置自体を停止しなければならない電源電圧値である。また、上記第１の電圧値とは、電源電圧がその電圧以下で、かつ、上記第２の電圧値以上である場合に撮像手段である撮影処理部３、および、音声データ取得手段である音声記録部２０の双方を正常に動作させることは困難であるが、音声記録部２０のみであれば、正常に動作させることが可能な電源電圧値である。
【００１６】
そして、上記ＣＰＵ１は、上記判定手段により電源電圧が第１の電圧値より低く、第２の電圧値以上であると判定された場合、動画記録機能停止手段により音声記録部２０を動作状態に保持したままで撮影処理部３を非作動状態に移行させる。さらに、上記判定手段により電源電圧が第２の電圧値より低いと判定された場合、撮像処理部３に加えて音声記録部２０、音声出力部も非作動状態となるように制御する。
【００１７】
次に、本実施形態の音声記録装置における動画撮影処理について、図２のフローチャートを用いて説明する。
本音声記録装置において動画モードが選択されている場合にＲＥＬスイッチ１２ｆがオン操作されると、メインルーチンにて図２に示すサブルーチンの動画撮影処理が呼び出されてＣＰＵ１の制御のもとで該動画撮影処理がスタートする。
【００１８】
まず、ステップＳ１において、音声記録部２０と撮影処理部３とを駆動し、音声データを含む動画撮影開始処理を行う。続いて、ステップＳ２において、記録媒体１５の残り記録可能容量をチェックし、記録可能容量が０（なし）であるかどうかの判定を行う。上記ステップＳ２の判定で記録可能容量が０（なし）であれば、後述するステップＳ８にジャンプする。記録可能容量が０（なし）でなければ、ステップＳ３に進む。
【００１９】
ステップＳ３で電池１６の電源電圧Ｖ０  を検出し、所定の第２の電圧値（閾値ｖ２  とする）以下であるかどうかの判定を行う。その判定で電源電圧Ｖ０  が閾値ｖ２  以下であれば、後述するステップＳ８にジャンプするが、電源電圧Ｖ０  が閾値ｖ２  以下ではない判定された場合にはステップＳ４に進む
ステップＳ４では、操作スイッチ１２の操作状態の検出を行い、いずれの操作スイッチ１２も操作されていないと判別されると、ステップＳ５に進むが、いずれかの操作スイッチ１２が操作された場合には、後述するステップＳ８にジャンプする。
【００２０】
ステップＳ５では、電源電圧Ｖ０  が所定の第１の電圧値（閾値ｖ１  ）以下であるかどうかの判定を行う（ステップＳ５）。第１の電圧値（閾値ｖ１  ）以下であれば、ステップＳ６にジャンプするが、第１の電圧値（閾値ｖ１  ）以下でなければ、ステップＳ７に進み、音声を含む動画データを記録媒体１５に記録する記録処理を行って、ステップＳ２に戻る。
【００２１】
ステップＳ６にジャンプした場合、電源電圧Ｖ０  が閾値ｖ２  以上、かつ、閾値ｖ１  以下であることから撮影処理部３の画像処理回路を非動作状態とし、音声記録部２０は動作状態のままにしてステップＳ７に進む。この場合には、音声データのみが記録媒体に記録され、画像データは記録されない状態（例えば、画像データとして黒画面）でデータ処理がなされる。
【００２２】
このとき、ＬＣＤ１３には、画像画面は、黒表示状態となり、電源電圧低下のために画像処理回路のみを停止させた旨の文字表示がなされる。もしくは、ＬＣＤ１３は、完全に停止し、ＬＥＤ点滅等の方法により画像処理回路を停止したことを知らしめるようにしてもよい。
【００２３】
ステップＳ８にジャンプした場合には画像撮影停止処理が行われるが、ステップＳ２からジャンプした場合は、記録媒体１５の容量なしの状態であるため、その旨をＬＣＤ１３に表示し、本ルーチンを終了する。ステップＳ４からジャンプした場合は、操作スイッチにより動画処理停止が選択された状態であるのでそのまま本ルーチンを終了し、メインルーチンに戻る。さらに、ステップＳ３からジャンプした場合は、電源電圧Ｖ０  が閾値ｖ２  より低下し、画像記録処理と音声記録処理のいずれも動作できない状態にあるので本ルーチンを終了させ、かつ、本音声記録装置の動作を停止させる。
【００２４】
以上、説明したように本実施形態の音声記録装置によれば、動画撮影処理動作中に電池１６の電源電圧Ｖ０  を検出し、その検出電圧が画像記録処理と音声記録処理のいずれも動作できない電源電圧閾値ｖ２  以下であれば、装置を処理できない状態に切り換えるが、検出電圧が画像記録処理はできないが音声記録処理のみであれば動作可能な範囲の電圧である閾値ｖ１  以下で、かつ、閾値ｖ２  以上であれば、画像記録処理のみを非動作とし、音声記録処理はそのまま動作状態に保持して音声記録装置を継続して動作させることが可能である。従って、所定の電池容量に対して音声記録装置をより長い期間、使用可能となる。
【００２５】
【発明の効果】
上述のように本発明によれば、動画撮影中に電源電圧が所定の電圧以下に低下した場合でも音声データのみは継続して記録することができるので、より長時間のデータ記録を行うことができる。
【図面の簡単な説明】
【図１】本発明の一実施形態に係るデータ記録装置である動画撮影機能付き音声記録装置の構成を示すブロック図である。
【図２】上記図１の音声記録装置における動画撮影処理のフローチャートのである。
【符号の説明】
１  …ＣＰＵ（制御手段，判定手段，電源電圧検出手段，動画記録機能停止手段）
２  …撮像部（撮像手段）
３  …撮影処理部（撮像手段）
１５  …記録媒体
２０  …音声記録部（音声データ取得手段）
Ｖ０  …電源電圧
ｖ１  …電源電圧の閾値（所定の第１の電圧）
ｖ２  …電源電圧の閾値（所定の第２の電圧）
【図１】
2005010949.tif 000003
【図２】
2005010949.tif 000004